(57)【要約】【課題】状況に応じて電力消費の大きな特定の処理の実行を選択可能な放送受信端末を提供すること。【解決手段】放送受信端末は、放送信号を受信する受信部と、受信部が受信した信号からオーディオ符号化データ及び帯域拡張情報をそれぞれ分離する分離部と、オーディオ符号化データを復号化して低域オーディオデータを出力する低域オーディオ復号化部と、帯域拡張情報及び低域オーディオデータを用いて高域オーディオデータを生成する高域オーディオ生成部と、当該放送受信端末の音声再生モードを、低域オーディオデータ及び高域オーディオデータに基づく音声を再生する第１のモードと、低域オーディオデータのみに基づく音声を再生する第２のモードとの間で切り替える切替部と、所定の条件に応じて選択されたモードとなるよう切替部を制御する制御部とを備える。【選択図】図１
2008141721.tif 000002
【特許請求の範囲】
【請求項１】
放送信号を受信する受信部と、
前記受信部が受信した信号からオーディオ符号化データ及び帯域拡張情報をそれぞれ分離する分離部と、
前記オーディオ符号化データを復号化して低域オーディオデータを出力する低域オーディオ復号化部と、
前記帯域拡張情報及び前記低域オーディオデータを用いて高域オーディオデータを生成する高域オーディオ生成部と、
当該放送受信端末の音声再生モードを、前記低域オーディオデータ及び前記高域オーディオデータに基づく音声を再生する第１のモードと、前記低域オーディオデータのみに基づく音声を再生する第２のモードとの間で切り替える切替部と、
所定の条件に応じて選択されたモードとなるよう前記切替部を制御する制御部と、
を備えたことを特徴とする放送受信端末。
【請求項２】
請求項１に記載の放送受信端末であって、
当該放送受信端末のユーザが当該放送受信端末を操作するための操作部を備え、
前記制御部は、前記ユーザが前記操作部を用いて選択したモードとなるよう前記切替部を制御することを特徴とする放送受信端末。
【請求項３】
請求項１に記載の放送受信端末であって、
当該放送受信端末に電力を供給する電池と、
前記電池の残量を判別する電池残量判別部と、
前記残量としきい値とを比較する比較部と、を備え、
前記制御部は、前記比較部による比較結果に応じて選択したモードとなるよう前記切替部を制御することを特徴とする放送受信端末。
【請求項４】
請求項３に記載の放送受信端末であって、
前記制御部は、前記電池残量判別部が判別した残量が前記しきい値より小さくなったとき、前記第２のモードを選択することを特徴とする放送受信端末。
【請求項５】
請求項４に記載の放送受信端末であって、
前記制御部は、前記電池残量判別部が判別した残量が前記しきい値より大きくなったとき、前記第１のモードを選択することを特徴とする放送受信端末。
【請求項６】
請求項１に記載の放送受信端末であって、
現在時刻を取得する現在時刻取得部と、
当該放送受信端末を前記２つのモードの一方のモードに設定する時刻範囲を記憶する記憶部と、
前記現在時刻と前記時刻範囲とを比較する比較部と、を備え、
前記制御部は、前記現在時刻が前記時刻範囲内であるか否かに応じて選択したモードとなるよう前記切替部を制御することを特徴とする放送受信端末。
【請求項７】
請求項６に記載の放送受信端末であって、
前記制御部は、前記現在時刻が前記時刻範囲内のとき前記第２のモードを選択し、前記現在時刻が前記時刻範囲外のとき前記第１のモードを選択することを特徴とする放送受信端末。
【請求項８】
請求項１に記載の放送受信端末であって、
前記音声出力の音量を判別する音量判別部と、
前記音量としきい値とを比較する比較部と、を備え、
前記制御部は、前記比較部による比較結果に応じて選択したモードとなるよう前記切替部を制御することを特徴とする放送受信端末。
【請求項９】
請求項８に記載の放送受信端末であって、
前記制御部は、前記音量判別部が判別した音量が前記しきい値より小さくなったとき、前記第２のモードを選択することを特徴とする放送受信端末。
【請求項１０】
請求項９に記載の放送受信端末であって、
前記制御部は、前記音量判別部が判別した音量が前記しきい値より大きくなったとき、前記第１のモードを選択することを特徴とする放送受信端末。
【請求項１１】
請求項１に記載の放送受信端末であって、
イヤホンが挿抜される音声出力端子と、
前記音声出力端子に前記イヤホンが挿されているかを判別する端子状態判別部と、を備え、
前記制御部は、前記音声出力端子に前記イヤホンが挿されているか否かに応じて選択したモードとなるよう前記切替部を制御することを特徴とする放送受信端末。
【請求項１２】
請求項１１に記載の放送受信端末であって、
前記制御部は、前記音声出力端子に前記イヤホンが挿されていれば前記第１のモードを選択し、前記音声出力端子に前記イヤホンが挿されていなければ前記第２のモードを選択することを特徴とする放送受信端末。
【請求項１３】
請求項１に記載の放送受信端末であって、
マイクに入力された音声をデジタルデータ化する音声データ生成部と、
前記音声データ生成部によって得られる音声データから周囲騒音レベルを推定する周囲騒音推定部と、
前記周囲騒音レベルとしきい値レベルとを比較する周囲騒音比較部と、を備え、
前記制御部は、前記周囲騒音比較部による比較結果に応じて選択したモードとなるよう前記切替部を制御することを特徴とする放送受信端末。
【請求項１４】
請求項１３に記載の放送受信端末であって、
前記制御部は、前記周囲騒音推定部が推定した周囲騒音レベルが前記しきい値レベルよりも小さくなったとき、前記第１のモードを選択することを特徴とする放送受信端末。
【請求項１５】
請求項１３に記載の放送受信端末であって、
前記制御部は、前記周囲騒音推定部が推定した周囲騒音レベルが前記しきい値レベルよりも大きくなったとき、前記第２のモードを選択することを特徴とする放送受信端末。
【請求項１６】
請求項１に記載の放送受信端末であって、
番組の内容を示す番組情報を予め記憶する番組情報記憶部と、
当該放送受信端末を前記２つのモードの一方のモードに設定する番組種別リストを記憶する記憶部と、
前記番組情報記憶部から視聴中の番組種別を判定する番組種別判定部と、
前記番組種別判定部が判定した番組種別が前記番組種別リストに存在するかを比較する番組種別比較部を備え、
前記制御部は、前記番組種別比較部の比較結果に応じて選択したモードとなるよう前記切替部を制御することを特徴とする放送受信端末。
【請求項１７】
請求項１６に記載の放送受信端末であって、
前記制御部は、前記番組種別判定部が判定した番組種別が前記番組種別リストにあるとき、前記第２のモードを選択し、前記番組種別判定部が判定した番組種別が前記番組種別リストに無いとき前記第１のモードを選択することを特徴とする放送受信端末。
【請求項１８】
請求項１に記載の放送受信端末であって、
当該放送受信端末の現在位置を取得する現在位置取得部と、
当該放送受信端末を前記２つのモードの一方のモードに設定する位置範囲を記憶する記憶部と、
前記現在位置取得部から得られる現在位置と前記位置範囲とを比較し近傍であることを判定する現在位置判定部と、を備え、
前記制御部は、前記現在位置判定部による判定結果に応じて選択したモードとなるよう前記切替部を制御することを特徴とする放送受信端末。
【請求項１９】
請求項１８に記載の放送受信端末であって、
前記制御部は、当該放送受信端末が前記現在位置判定部の判定により前記位置範囲に存在するとき、前記第２のモードを選択することを特徴とする放送受信端末。
【請求項２０】
請求項１８に記載の放送受信端末であって、
前記制御部は、当該放送受信端末が前記現在位置判定部の判定により前記位置範囲に存在しないとき、前記第１のモードを選択することを特徴とする放送受信端末。
【請求項２１】
請求項１に記載の放送受信端末であって、
当該放送受信端末の現在位置を取得する現在位置取得部と、
前記現在位置取得部により取得した現在位置を一定時間遡って記憶する現在位置履歴記憶部と、
前記現在位置履歴記憶部から得られる当該放送受信端末の位置情報の履歴から当該放送受信端末の動静を判定する移動判定部と、を備え、
前記制御部は、前記移動判定部の判定に応じて選択したモードとなるよう前記切替部を制御することを特徴とする放送受信端末。
【請求項２２】
請求項２１に記載の放送受信端末であって、
前記制御部は、当該放送受信端末が前記移動判定部により一定時間静止していないと判定されたとき、前記第２のモードを選択することを特徴とする放送受信端末。
【請求項２３】
請求項２１に記載の放送受信端末であって、
前記制御部は、当該放送受信端末が前記移動判定部により一定時間移動していないと判定されたとき、前記第１のモードを選択することを特徴とする放送受信端末。
【請求項２４】
請求項１に記載の放送受信端末であって、
当該放送受信端末に電力を供給する電池と、
前記電池が充電中であることを判別する電池充電中判別部と、を備え、
前記制御部は、前記電池が充電中であるか否かに応じて選択したモードとなるよう前記切替部を制御することを特徴とする放送受信端末。
【請求項２５】
請求項２４に記載の放送受信端末であって、
前記制御部は、前記電池充電中判別部により充電中でないと判別されたとき前記第２のモードを選択し、前記電池充電中判別部により充電中であると判別されたとき前記第１のモードを選択することを特徴とする放送受信端末。
【請求項２６】
請求項１至る２５に記載の放送受信端末であって、
情報を文字又は図形で表示する表示部を備え、
前記制御部は、前記切替部がモードを切り替えたとき、モードが切り替えられたことを示す表示を前記表示部が行うよう処理することを特徴とする放送受信端末。
【発明の詳細な説明】
【技術分野】
【０００１】
本発明は、状況に応じて電力消費の大きな特定の処理の実行を選択可能な放送受信端末に関する。
【背景技術】
【０００２】
日本の地上デジタルテレビ放送のサービス（ISDB-T）の１つに「ワンセグ（1seg）（商標）」と呼ばれる携帯電話や移動体端末向けのサービスがある。地上デジタルテレビ放送のために割り当てられた約６ＭＨｚの周波数帯域は１３のセグメントに分けられている。「ワンセグ」では、そのうちの中央の１つのセグメント（約４２９ｋＨｚ）だけが利用されている。
【０００３】
図６は、ワンセグによるテレビ放送に対応した放送受信端末を示すブロック図である。図６に示すように、放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１とを備える。
【０００４】
アンテナ１０１は、デジタル放送電波を受信する。受信部１０３は、アンテナ１０１が受信した電波を処理して、トランスポートストリーム信号（TS）を出力する。多重化分離処理部１０５は、トランスポートストリーム信号ＴＳをオーディオエレメンタリストリーム信号（AUDIO ES）とビデオエレメンタリストリーム信号（VIDEO ES）とに分離して、オーディオエレメンタリストリーム信号を帯域拡張情報分離部１０７に入力し、ビデオエレメンタリストリーム信号をＨ．２６４復号化部１１７に入力する。
【０００５】
オーディオエレメンタリストリーム信号は、「ＭＰＥＧ２  ＡＡＣ＋ＳＢＲ」と呼ばれる音声圧縮方式で圧縮されたデータであり、オーディオ符号化データと帯域拡張情報とを含む。オーディオ符号化データは、ＡＡＣ（Advanced Audio Coding）と呼ばれる音声圧縮方式で圧縮されたデータである。なお、オーディオデータをＡＡＣ圧縮すると高周波部分のデータはなくなってしまうため、オーディオ符号化データを復号化しても高音域は再生されない。帯域拡張情報は、オーディオデータをＡＡＣ圧縮した際になくなってしまう高周波部分のデータと低周波部分のデータとの関連性を示す情報を圧縮したＳＢＲ（登録商標）（Spectral Band Replication）データである。
【０００６】
帯域拡張情報分離部１０７は、オーディオエレメンタリストリーム信号をオーディオ符号化データと帯域拡張情報とに分離して、オーディオ符号化データをＡＡＣ復号化部１０９に入力し、帯域拡張情報をＳＢＲ処理部１１１に入力する。ＡＡＣ復号化部１０９は、オーディオ符号化データを復号化して低域オーディオデータを出力する（以下、ＡＡＣ復号化部１０９による処理を「ＡＡＣ処理」という。）。ＳＢＲ処理部１１１は、帯域拡張情報及び低域オーディオデータに基づいて高音域を予測して高域オーディオデータを生成する（以下、ＳＢＲ処理部１１１による処理を「ＳＢＲ処理」という。）。Ｄ／Ａ変換部１１３は、低域オーディオデータ及び高域オーディオデータをＤ／Ａ変換する。スピーカ１１５は、Ｄ／Ａ変換されたアナログオーディオ信号による音声を出力する。
【０００７】
ビデオエレメンタリストリーム信号は、「Ｈ．２６４」と呼ばれる動画圧縮方式で圧縮されたストリームである。Ｈ．２６４復号化部１１７は、ビデオエレメンタリストリーム信号を復号化してビデオデータを出力する。表示処理部１１９は、ビデオデータをディスプレイ１２１で表示するための処理を行う。ディスプレイ１２１は、テレビ映像を表示する。
【０００８】
【特許文献１】特開２００４−５３９４０号公報
【発明の開示】
【発明が解決しようとする課題】
【０００９】
上記説明した放送受信端末によれば、ＳＢＲ処理により高音域も再生されるため、ユーザは元の音に忠実な（元の音源に近い）音声でテレビ放送を視聴することができる。但し、ＳＢＲ処理の処理量は比較的多いため、ＳＢＲ処理部１１１での電力消費は大きい。放送受信端末の電源が電池である場合、駆動時間の点から電力消費は小さい方が望ましい。
【００１０】
本発明の目的は、状況に応じて電力消費の大きな特定の処理の実行を選択可能な放送受信端末を提供することである。
【課題を解決するための手段】
【００１１】
本発明は、放送信号を受信する受信部と、前記受信部が受信した信号からオーディオ符号化データ及び帯域拡張情報をそれぞれ分離する分離部と、前記オーディオ符号化データを復号化して低域オーディオデータを出力する低域オーディオ復号化部と、前記帯域拡張情報及び前記低域オーディオデータを用いて高域オーディオデータを生成する高域オーディオ生成部と、当該放送受信端末の音声再生モードを、前記低域オーディオデータ及び前記高域オーディオデータに基づく音声を再生する第１のモードと、前記低域オーディオデータのみに基づく音声を再生する第２のモードとの間で切り替える切替部と、所定の条件に応じて選択されたモードとなるよう前記切替部を制御する制御部と、を備えた放送受信端末を提供する。
【００１２】
上記放送受信端末は、当該放送受信端末のユーザが当該放送受信端末を操作するための操作部を備え、前記制御部は、前記ユーザが前記操作部を用いて選択したモードとなるよう前記切替部を制御する。
【００１３】
上記放送受信端末は、当該放送受信端末に電力を供給する電池と、前記電池の残量を判別する電池残量判別部と、前記残量としきい値とを比較する比較部と、を備え、前記制御部は、前記比較部による比較結果に応じて選択したモードとなるよう前記切替部を制御する。
【００１４】
上記放送受信端末では、前記制御部は、前記電池残量判別部が判別した残量が前記しきい値より小さくなったとき、前記第２のモードを選択する。
【００１５】
上記放送受信端末では、前記制御部は、前記電池残量判別部が判別した残量が前記しきい値より大きくなったとき、前記第１のモードを選択する。
【００１６】
上記放送受信端末は、現在時刻を取得する現在時刻取得部と、当該放送受信端末を前記２つのモードの一方のモードに設定する時刻範囲を記憶する記憶部と、前記現在時刻と前記時刻範囲とを比較する比較部と、を備え、前記制御部は、前記現在時刻が前記時刻範囲内であるか否かに応じて選択したモードとなるよう前記切替部を制御する。
【００１７】
上記放送受信端末では、前記制御部は、前記現在時刻が前記時刻範囲内のとき前記第２のモードを選択し、前記現在時刻が前記時刻範囲外のとき前記第１のモードを選択する。
【００１８】
上記放送受信端末は、前記音声出力の音量を判別する音量判別部と、前記音量としきい値とを比較する比較部と、を備え、前記制御部は、前記比較部による比較結果に応じて選択したモードとなるよう前記切替部を制御する。
【００１９】
上記放送受信端末では、前記制御部は、前記音量判別部が判別した音量が前記しきい値より小さくなったとき、前記第２のモードを選択する。
【００２０】
上記放送受信端末では、前記制御部は、前記音量判別部が判別した音量が前記しきい値より大きくなったとき、前記第１のモードを選択する。
【００２１】
上記放送受信端末は、イヤホンが挿抜される音声出力端子と、前記音声出力端子に前記イヤホンが挿されているかを判別する端子状態判別部と、を備え、前記制御部は、前記音声出力端子に前記イヤホンが挿されているか否かに応じて選択したモードとなるよう前記切替部を制御する。
【００２２】
上記放送受信端末では、前記制御部は、前記音声出力端子に前記イヤホンが挿されていれば前記第１のモードを選択し、前記音声出力端子に前記イヤホンが挿されていなければ前記第２のモードを選択する。
【００２３】
上記放送受信端末は、マイクに入力された音声をデジタルデータ化する音声データ生成部と、前記音声データ生成部によって得られる音声データから周囲騒音レベルを推定する周囲騒音推定部と、前記周囲騒音レベルとしきい値レベルとを比較する周囲騒音比較部と、を備え、前記制御部は、前記周囲騒音比較部による比較結果に応じて選択したモードとなるよう前記切替部を制御する。
【００２４】
上記放送受信端末では、前記制御部は、前記周囲騒音推定部が推定した周囲騒音レベルが前記しきい値レベルよりも小さくなったとき、前記第１のモードを選択する。
【００２５】
上記放送受信端末では、前記制御部は、前記周囲騒音推定部が推定した周囲騒音レベルが前記しきい値レベルよりも大きくなったとき、前記第２のモードを選択する。
【００２６】
上記放送受信端末は、番組の内容を示す番組情報を予め記憶する番組情報記憶部と、当該放送受信端末を前記２つのモードの一方のモードに設定する番組種別リストを記憶する記憶部と、前記番組情報記憶部から視聴中の番組種別を判定する番組種別判定部と、前記番組種別判定部が判定した番組種別が前記番組種別リストに存在するかを比較する番組種別比較部を備え、前記制御部は、前記番組種別比較部の比較結果に応じて選択したモードとなるよう前記切替部を制御する。
【００２７】
上記放送受信端末では、前記制御部は、前記番組種別判定部が判定した番組種別が前記番組種別リストにあるとき、前記第２のモードを選択し、前記番組種別判定部が判定した番組種別が前記番組種別リストに無いとき前記第１のモードを選択する。
【００２８】
上記放送受信端末は、当該放送受信端末の現在位置を取得する現在位置取得部と、当該放送受信端末を前記２つのモードの一方のモードに設定する位置範囲を記憶する記憶部と、前記現在位置取得部から得られる現在位置と前記位置範囲とを比較し近傍であることを判定する現在位置判定部と、を備え、前記制御部は、前記現在位置判定部による判定結果に応じて選択したモードとなるよう前記切替部を制御する。
【００２９】
上記放送受信端末では、前記制御部は、当該放送受信端末が前記現在位置判定部の判定により前記位置範囲に存在するとき、前記第２のモードを選択する。
【００３０】
上記放送受信端末では、前記制御部は、当該放送受信端末が前記現在位置判定部の判定により前記位置範囲に存在しないとき、前記第１のモードを選択する。
【００３１】
上記放送受信端末は、当該放送受信端末の現在位置を取得する現在位置取得部と、前記現在位置取得部により取得した現在位置を一定時間遡って記憶する現在位置履歴記憶部と、前記現在位置履歴記憶部から得られる当該放送受信端末の位置情報の履歴から当該放送受信端末の動静を判定する移動判定部と、を備え、前記制御部は、前記移動判定部の判定に応じて選択したモードとなるよう前記切替部を制御する。
【００３２】
上記放送受信端末では、前記制御部は、当該放送受信端末が前記移動判定部により一定時間静止していないと判定されたとき、前記第２のモードを選択する。
【００３３】
上記放送受信端末では、前記制御部は、当該放送受信端末が前記移動判定部により一定時間移動していないと判定されたとき、前記第１のモードを選択する。
【００３４】
上記放送受信端末は、当該放送受信端末に電力を供給する電池と、前記電池が充電中であることを判別する電池充電中判別部と、を備え、前記制御部は、前記電池が充電中であるか否かに応じて選択したモードとなるよう前記切替部を制御する。
【００３５】
上記放送受信端末では、前記制御部は、前記電池充電中判別部により充電中でないと判別されたとき前記第２のモードを選択し、前記電池充電中判別部により充電中であると判別されたとき前記第１のモードを選択する。
【００３６】
上記放送受信端末は、情報を文字又は図形で表示する表示部を備え、
前記制御部は、前記切替部がモードを切り替えたとき、モードが切り替えられたことを示す表示を前記表示部が行うよう処理する。
【発明の効果】
【００３７】
本発明に係る放送受信端末によれば、状況に応じて電力消費の大きな特定の処理の実行を選択的に切り替えることができる。
【発明を実施するための最良の形態】
【００３８】
以下、本発明の実施形態について、図面を参照して説明する。以下に説明する実施形態の放送受信端末は、上記説明した「ワンセグ」によるテレビ放送に対応している。
【００３９】
（第１の実施形態）
図１は、第１の実施形態の放送受信端末を示すブロック図である。図１に示すように、第１の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部１５５とを備える。なお、多重化分離処理部１０５、帯域拡張情報分離部１０７、ＡＡＣ復号化部１０９、ＳＢＲ処理部１１１、Ｄ／Ａ変換部１１３、Ｈ．２６４復号化部１１７、表示処理部１１９、切替部１５１及び制御部１５５は、プログラムを実行することによって動作するＣＰＵ等の演算処理装置によって実現されていても良い。
【００４０】
アンテナ１０１は、デジタル放送電波を受信する。受信部１０３は、アンテナ１０１が受信した電波を処理して、トランスポートストリーム信号（TS）を出力する。多重化分離処理部１０５は、トランスポートストリーム信号をオーディオエレメンタリストリーム信号（AUDIO ES）とビデオエレメンタリストリーム信号（VIDEO ES）とに分離して、オーディオエレメンタリストリーム信号を帯域拡張情報分離部１０７に入力し、ビデオエレメンタリストリーム信号をＨ．２６４復号化部１１７に入力する。
【００４１】
オーディオエレメンタリストリーム信号は、「ＭＰＥＧ２  ＡＡＣ＋ＳＢＲ」と呼ばれる音声圧縮方式で圧縮されたデータであり、オーディオ符号化データと帯域拡張情報とを含む。オーディオ符号化データは、ＡＡＣ（Advanced Audio Coding）と呼ばれる音声圧縮方式で圧縮されたデータである。なお、オーディオデータをＡＡＣ圧縮すると高周波部分のデータはなくなってしまうため、オーディオ符号化データを復号化しても高音域は再生されない。帯域拡張情報は、オーディオデータをＡＡＣ圧縮した際になくなってしまう高周波部分のデータと低周波部分のデータとの関連性を示す情報を圧縮したＳＢＲ（登録商標）（Spectral Band Replication）データである。
【００４２】
帯域拡張情報分離部１０７は、オーディオエレメンタリストリーム信号をオーディオ符号化データと帯域拡張情報とに分離して、オーディオ符号化データをＡＡＣ復号化部１０９に入力し、帯域拡張情報をＳＢＲ処理部１１１に入力する。ＡＡＣ復号化部１０９は、オーディオ符号化データを復号化して低域オーディオデータを出力する（以下、ＡＡＣ復号化部１０９による処理を「ＡＡＣ処理」という。）。ＳＢＲ処理部１１１は、帯域拡張情報及び低域オーディオデータに基づいて高音域を予測して高域オーディオデータを生成する（以下、ＳＢＲ処理部１１１による処理を「ＳＢＲ処理」という。）。Ｄ／Ａ変換部１１３は、オーディオデータをＤ／Ａ変換する。スピーカ１１５は、Ｄ／Ａ変換されたアナログオーディオ信号に応じた音を出力する。
【００４３】
ビデオエレメンタリストリーム信号は、「Ｈ．２６４」と呼ばれる動画圧縮方式で圧縮されたストリームである。Ｈ．２６４復号化部１１７は、ビデオエレメンタリストリーム信号を復号化してビデオデータを出力する。表示処理部１１９は、ビデオデータをディスプレイ１２１で表示するための処理を行う。ディスプレイ１２１は、テレビ映像を表示する。
【００４４】
本実施形態では、放送受信端末の音声再生モードとして、低域オーディオデータ及び高域オーディオデータに基づく音声を再生する通常モードと、低域オーディオデータのみに基づく音声を再生する省電力モードとの２つのモードが用意されている。切替部１５１は、制御部１５５からの指示に応じて、通常モードと省電力モードの間で切り替える。放送受信端末が通常モードに設定されている状態では、ＡＡＣ復号化部１０９から出力された低域オーディオデータは、ＳＢＲ処理部１１１に入力される。一方、放送受信端末が省電力モードに設定されている状態では、ＡＡＣ復号化部１０９から出力された低域オーディオデータは、ＳＢＲ処理部１１１には入力されず、Ｄ／Ａ変換部１１３に入力される。このため、省電力モード時にはＳＢＲ処理は行われない。
【００４５】
通常モードに設定されているとき、Ｄ／Ａ変換部１１３は低域オーディオデータ及び高域オーディオデータをＤ／Ａ変換する。したがって、スピーカ１１５は、広帯域の音声を出力する。一方、省電力モードに設定されているとき、Ｄ／Ａ変換部１１３には高域オーディオデータが入力されないため、Ｄ／Ａ変換部１１３は低域オーディオデータをＤ／Ａ変換する。したがって、スピーカ１１５は、高音域を除く音声を出力する。
【００４６】
操作部１５３は、ユーザが放送受信端末を操作するための入力インターフェースである。ユーザは、操作部１５３を用いて通常モードか省電力モードを選択することができる。制御部１５５は、ユーザが操作部１５３を操作して選択したモードとなるよう切替部１５１を制御する。制御部１５５は記憶部１５７を有し、ユーザによって選択されたモードが記憶部１５７に記憶される。なお、制御部１５５は、切替部１５１が音声再生モードを切り替えたとき、モードが切り替えられた旨を示す表示をディスプレイ１２１が行うよう処理しても良い。
【００４７】
以上説明したように、本実施形態では、放送受信端末の音声再生モードとして、ユーザが通常モード又は省電力モードに切り替えることができる。通常モード時に再生される広帯域の音声と省電力モード時に再生される高音域を除く音声とでは、明瞭度が異なる。広帯域の音声と比較して、高音域を含まない音声は明瞭度が低く、くもった感じに聞こえる。しかし、省電力モード時にはＳＢＲ処理が行われないため、電力消費を抑えることができる。このため、音質劣化を許容できるユーザは、省電力モードに切り替えることで、通常モードの場合よりも長い時間、テレビ放送を視聴することができる。また、本実施形態では、複数のモードを準備しておくことで、長時間のテレビ視聴といったユーザの要望に応えることができる。
【００４８】
（第２の実施形態）
図２は、第２の実施形態の放送受信端末を示すブロック図である。図２に示すように、第２の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、制御部２０１と、電池２０３と、電池残量判別部２０５と、比較部２０７とを備える。図２において、図１と共通する構成要素には同じ参照符号を付して、本実施形態での説明を省略する。
【００４９】
電池２０３は、本実施形態の放送受信端末に電力を供給する。電池残量判別部２０５は、電池２０３の残量を判別する。比較部２０７は、制御部２０１が有する記憶部２０９が記憶するしきい値と、電池残量判別部２０５が判別した残量とを比較する。制御部２０１は、電池残量判別部２０５が判別した残量としきい値との大小関係に応じて通常モード又は省電力モードを選択し、選択したモードとなるよう切替部１５１を制御する。
【００５０】
具体的には、制御部２０１は、放送受信端末が通常モードに設定されている状態で、電池２０３の残量がしきい値より小さくなったとき、通常モードから省電力モードに切り替えるよう切替部１５１を制御する。また、制御部２０１は、放送受信端末が省電力モードに設定されている状態で、電池２０３の残量がしきい値より大きくなったとき、省電力モードから通常モードに切り替えるよう切替部１５１を制御する。なお、記憶部２０９は書き換え可能なメモリであり、放送受信端末のユーザは、操作部１５３を操作してしきい値を書き換えることができる。
【００５１】
以上説明したように、本実施形態では、電池２０３の残量に応じて制御部２０１が音声再生モードを選択する。このため、電池２０３の残量がしきい値より小さくなった後は、通常よりも電力消費を抑えることができる。また、本実施形態では、放送受信端末のユーザは、電池２０３の残量を確認して音声再生モードを選択するための操作を行う必要がない。
【００５２】
（第３の実施形態）
図３は、第３の実施形態の放送受信端末を示すブロック図である。図３に示すように、第３の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部３０１と、現在時刻取得部３０３と、比較部３０５とを備える。図３において、図１と共通する構成要素には同じ参照符号を付して、本実施形態での説明を省略する。
【００５３】
現在時刻取得部３０３は、放送受信端末が有する内部時計（図示せず）から現在時刻を取得する。比較部３０５は、制御部３０１が有する記憶部３０７が記憶する時刻範囲と、現在時刻取得部３０３が取得した現在時刻とを比較する。制御部３０１は、現在時刻が時刻範囲内であるか否かに応じて通常モード又は省電力モードを選択し、選択したモードとなるよう切替部１５１を制御する。具体的には、制御部３０１は、現在時刻が時刻範囲内のときは省電力モードを選択し、現在時刻が時刻範囲外のときは通常モードを選択する。なお、記憶部３０７は書き換え可能なメモリであり、放送受信端末のユーザは、操作部１５３を操作して時刻範囲を書き換えることができる。
【００５４】
以上説明したように、本実施形態では、時刻に応じて制御部３０１が音声再生モードを選択する。このため、所定の時間帯では、通常よりも電力消費を抑えることができる。例えば、昼間はユーザが放送受信端末を持ち歩いているが、夜は放送受信端末が充電台に置かれて商用電源に接続されている場合、昼間の時間帯を上記時刻範囲として設定しておけば、昼間の放送の視聴による電力消費を抑えることができる。また、本実施形態では、放送受信端末のユーザは、現在時刻を確認して音声再生モードを選択するための操作を行う必要がない。
【００５５】
（第４の実施形態）
図４は、第４の実施形態の放送受信端末を示すブロック図である。図４に示すように、第４の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部４０１と、音量調整部４０３と、音量判別部４０５と、比較部４０７とを備える。図４において、図１と共通する構成要素には同じ参照符号を付して、本実施形態での説明を省略する。
【００５６】
音量調整部４０３は、スピーカ１１５から出力される音声の音量を調整する。なお、本実施形態では、音量調整部４０３がＤ／Ａ変換部１１３の後段に設けられているが、Ｄ／Ａ変換部１１３の前段に設けて音量調整を実施しても良い。音量判別部４０５は、設定されている音量がいくつかを判別する。比較部４０７は、制御部４０１が有する記憶部４０９が記憶するしきい値と、音量判別部４０５が判別した音量とを比較する。制御部４０１は、音量判別部４０５が判別した音量としきい値との大小関係に応じて通常モード又は省電力モードを選択し、選択したモードとなるよう切替部１５１を制御する。具体的には、制御部４０１は、音量がしきい値より小さくなったとき省電力モードを選択し、音量がしきい値より大きくなったとき通常モードを選択する。なお、記憶部４０９は書き換え可能なメモリであり、放送受信端末のユーザは、操作部１５３を操作してしきい値を書き換えることができる。
【００５７】
以上説明したように、本実施形態では、音量に応じて制御部４０１が音声再生モードを選択する。このため、音量がしきい値より小さいときは、通常よりも電力消費を抑えることができる。ユーザが音声をはっきりと聞きとれない程度の音量では音声の明瞭度が与える影響は小さいため、省電力モードでも十分である。また、本実施形態では、放送受信端末のユーザは、音量を確認して音声再生モードを選択するための操作を行う必要がない。
【００５８】
（第５の実施形態）
図５は、第５の実施形態の放送受信端末を示すブロック図である。図５に示すように、第５の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、制御部５０１と、音声出力端子５０３と、挿抜状態判別部５０５とを備える。図５において、図１と共通する構成要素には同じ参照符号を付して、本実施形態での説明を省略する。
【００５９】
音声出力端子５０３は、イヤホンやヘッドホン等のプラグを挿入するための端子であり、Ｄ／Ａ変換部１１３でＤ／Ａ変換されたアナログオーディオ信号を出力する。なお、音声出力端子５０３にプラグが挿入されている状態のとき、スピーカ１１５は音声を出力しない。挿抜状態判別部５０５は、音声出力端子５０３にプラグが挿入された状態か否かを判別する。制御部５０１は、音声出力端子５０３にプラグが挿入された状態か否かに応じて通常モード又は省電力モードを選択し、選択したモードとなるよう切替部１５１を制御する。具体的には、制御部５０１は、音声出力端子５０３にプラグが挿入された状態のときは通常モードを選択し、音声出力端子５０３にプラグが挿入されていない状態のときは省電力モードを選択する。
【００６０】
以上説明したように、本実施形態では、音声出力端子５０３にプラグが挿入された状態か否かに応じて音声再生モードを選択する。音声出力端子５０３にプラグが挿入された状態の電力消費は、スピーカ１１５から音声を出力する際の電力消費よりも小さい。このため、スピーカ１１５から音声を出力するときの電力消費を抑えることができる。また、本実施形態では、放送受信端末のユーザは、音声出力端子５０３にプラグを抜き挿しするたびに音声再生モードを選択するための操作を行う必要がない。
【００６１】
（第６の実施形態）
図６は、第６の実施形態の放送受信端末を示すブロック図である。図６に示すように、第６の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部６０１と、マイク６０３と、音声データ生成部６０５、周囲騒音推定部６０７と、周囲騒音比較部６０９と、記憶部６１１とを備える。図６において、図１と共通する構成要素には同じ参照符号を付して、本実施形態での説明を省略する。
【００６２】
マイク６０３は、周囲騒音を集音し電気信号に変換する。音声データ生成部６０５は、マイク６０３が集音した周囲騒音をデジタルデータに変換する。周囲騒音推定部６０７は、音声データ生成部６０５で得られたデジタルデータを信号処理により周囲騒音レベルを推定する。周囲騒音比較部６０９は、制御部６０１が有する記憶部６１１が記憶するしきい値レベルと、周囲騒音推定部６０７が推定した周囲騒音レベルを比較する。制御部６０１は、周囲騒音推定部６０７が推定した周囲騒音レベルとしきい値レベルとの大小関係に応じて通常モード又は省電力モードを選択し、選択したモードとなるよう切替部１５１を制御する。具体的には、制御部６０１は、推定した周囲騒音レベルがしきい値より大きくなったとき省電力モードを選択し、推定した周囲騒音レベルがしきい値よりも小さくなったとき通常モードを選択する。なお、記憶部６１１は書き換え可能なメモリであり、放送受信端末のユーザは、操作部１５３を操作してしきい値レベルを書き換えることができる。
【００６３】
以上説明したように、本実施形態では、推定した周囲騒音レベルに応じて制御部６０１が音声再生モードを選択する。このため、推定した周囲騒音レベルがしきい値より大きいときは、通常よりも電力消費を抑えることができる。周囲の騒音が大きくユーザが音声をはっきりと聞き取れない状況下では音声の明瞭度が与える影響は小さいため、省電力モードでも十分である。また、本実施形態では、放送受信端末のユーザは、周囲の状況に応じて音声再生モードを選択するための操作を行う必要がない。
【００６４】
（第７の実施形態）
図７は、第７の実施形態の放送受信端末を示すブロック図である。図７に示すように、第７の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部７０１と、番組情報記憶部７０３と、番組種別判定部７０５と、番組種別比較部７０７と、記憶部７０９とを備える。図７において、図１と共通する構成要素には同じ参照符号を付して、本実施形態での説明を省略する。
【００６５】
番組情報記憶部７０３は、視聴中の番組情報が記憶されている。番組種別判定部７０５は、番組情報記憶部７０３で記憶されている番組情報から番組の種別を判定する。番組種別比較部７０７は、番組情報判定部が判定した番組種別が、制御部７０１が有する記憶部７０９が記憶する番組種別リスト中に存在するかを比較する。制御部７０１は、番組種別比較部７０７が比較した結果に応じて通常モード又は省電力モードを選択し、選択したモードとなるよう切替部１５１を制御する。具体的には、制御部７０１は、視聴中の番組種別が記憶部７０９に記憶されている番組種別リストに存在するとき省電力モードを選択し、番組種別リストに存在しないとき通常モードを選択する。なお、記憶部７０９は書き換え可能なメモリであり、放送受信端末のユーザは、操作部１５３を操作し番組種別リストを書き換えることができる。
【００６６】
以上説明したように、本実施形態では、視聴中の番組種別に応じて制御部７０１が音声再生モードを選択する。このため、番組種別リストにスポーツ番組や字幕表示のあるニュース番組を登録しているときには、これらの番組を視聴する際に通常よりも電力消費を抑えることができる。スポーツ番組や字幕表示のあるニュース番組など音声の明瞭度が与える影響は小さいため、省電力モードでも十分である。また、本実施形態では、放送受信端末のユーザは、視聴する番組種別に応じて音声再生モードを選択するための操作を行う必要がない。
【００６７】
（第８の実施形態）
図８は、第８の実施形態の放送受信端末を示すブロック図である。図８に示すように、第８の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部８０１と、現在位置取得部８０３と、現在位置判定部８０５と、記憶部８０７とを備える。図８において、図１と共通する構成要素には同じ参照符号を付して、本実施形態での説明を省略する。
【００６８】
現在位置取得部８０３は、現在位置をＧＰＳ受信装置などから取得する。現在位置判定部８０５は、制御部８０１が有する記憶部８０７が記憶する位置範囲が現在位置取得部８０３から取得した現在位置の近傍であることを判定する。制御部８０１は、現在位置判定部８０５が判定した結果に応じて通常モード又は省電力モードを選択し、選択したモードとなるよう切替部１５１を制御する。具体的には、制御部８０１は、放送受信端末の現在位置が記憶部８０７に記憶されている位置範囲の近傍であるとき省電力モードを選択し、近傍でないとき通常モードを選択する。なお、記憶部８０７は書き換え可能なメモリであり、放送受信端末のユーザは、操作部１５３を操作し位置範囲を書き換えることができる。
【００６９】
以上説明したように、本実施形態では、放送受信端末の現在位置に応じて制御部８０１が音声再生モードを選択する。このため、所定の場所では通常よりも電力消費を抑えることができる。例えば、頻繁に立ち入る場所を位置範囲として登録しておけば、外出先での電力消費を抑えることができる。また、本実施形態では、放送受信端末のユーザは、現在位置に応じて音声再生モードを選択するための操作を行う必要がない。
【００７０】
（第９の実施形態）
図９は、第９の実施形態の放送受信端末を示すブロック図である。図９に示すように、第９の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部９０１と、現在位置取得部９０３と、現在位置履歴記憶部９０５と、移動判定部９０７とを備える。図９において、図１と共通する構成要素には同じ参照符号を付して、本実施形態での説明を省略する。
【００７１】
現在位置取得部９０３は、現在位置をＧＰＳ受信装置などから取得する。現在位置履歴記憶部９０５は、現在位置取得部９０３で取得した現在位置を所定の間隔で一定期間記憶する。移動判定部９０７は、現在位置履歴記憶部９０５から得られる現在位置の履歴から放送受信端末が移動しているか静止しているかを判定する。制御部９０１は、移動判定部９０７が判定した結果に応じて通常モード又は省電力モードを選択し、選択したモードとなるよう切替部１５１を制御する。具体的には、制御部９０１は、移動判定部が放送受信端末が移動していると判定したとき省電力モードを選択し、静止していると判定したとき通常モードを選択する。
【００７２】
以上説明したように、本実施形態では、放送受信端末が静止しているか移動しているかに応じて制御部９０１が音声再生モードを選択する。このため、放送受信端末が移動している場合には通常よりも電力消費を抑えることができる。例えば、電車の中などの外出先での電力消費を抑えることができる。また、本実施形態では、放送受信端末のユーザは、移動中か否かに応じて音声再生モードを選択するための操作を行う必要がない。
【００７３】
（第１０の実施形態）
図１０は、第１０の実施形態の放送受信端末を示すブロック図である。図１０に示すように、第１０の実施形態の放送受信端末は、アンテナ１０１と、受信部１０３と、多重化分離処理部１０５と、帯域拡張情報分離部１０７と、ＡＡＣ復号化部１０９と、ＳＢＲ処理部１１１と、Ｄ／Ａ変換部１１３と、スピーカ１１５と、Ｈ．２６４復号化部１１７と、表示処理部１１９と、ディスプレイ１２１と、切替部１５１と、操作部１５３と、制御部１００１と、電池１００３と、電池充電中判別部１００５とを備える。図１０において、図１と共通する構成要素には同じ参照符号を付して、本実施形態での説明を省略する。
【００７４】
電池１００３は、本実施形態の放送受信端末に電力を供給する。電池充電中判別部１００５は、電池１００３が充電中か否かを判別する。制御部１００１は、電池充電中判別部１００５が判別した結果に応じて通常モード又は省電力モードを選択し、選択したモードとなるよう切替部１５１を制御する。具体的には、制御部１００１は、電池充電中判別部が充電中ではないと判別したとき省電力モードを選択し、充電中であると判別したとき通常モードを選択する。
【００７５】
以上説明したように、本実施形態では、放送受信端末が充電中であるか否かに応じて制御部１００１が音声再生モードを選択する。このため、放送受信端末が充電中ではない場合には通常よりも電力消費を抑えることができる。例えば、外出先などで充電ができない状況下では電力消費を抑えることができる。また、本実施形態では、放送受信端末のユーザは、充電中か否かに応じて音声再生モードを選択するための操作を行う必要がない。
【００７６】
なお、第１〜第１０の実施形態では、ワンセグによるテレビ放送に対応した放送受信端末を例に説明したが、デジタルラジオに対応した放送受信端末であっても良い。また、第１の実施形態では、切替部１５１が音声再生モードを切り替えたとき、モードが切り替えられた旨を示す表示をディスプレイ１２１が行うよう制御部１５５が処理しても良いと説明したが、これは第２〜第１０の実施形態の制御部でも同様である。
【産業上の利用可能性】
【００７７】
本発明に係る放送受信端末は、状況に応じて電力消費の大きな特定の処理の実行を選択可能であり、放送を受信する端末等として有用である。
【図面の簡単な説明】
【００７８】
【図１】第１の実施形態の放送受信端末を示すブロック図
【図２】第２の実施形態の放送受信端末を示すブロック図
【図３】第３の実施形態の放送受信端末を示すブロック図
【図４】第４の実施形態の放送受信端末を示すブロック図
【図５】第５の実施形態の放送受信端末を示すブロック図
【図６】第６の実施形態の放送受信端末を示すブロック図
【図７】第７の実施形態の放送受信端末を示すブロック図
【図８】第８の実施形態の放送受信端末を示すブロック図
【図９】第９の実施形態の放送受信端末を示すブロック図
【図１０】第１０の実施形態の放送受信端末を示すブロック図
【図１１】ワンセグによるテレビ放送に対応した放送受信端末を示すブロック図
【符号の説明】
【００７９】
１０１  アンテナ
１０３  受信部
１０５  多重化分離処理部
１０７  帯域拡張情報分離部
１０９  ＡＡＣ復号化部
１１１  ＳＢＲ処理部
１１３  Ｄ／Ａ変換部
１１５  スピーカ
１１７  Ｈ．２６４復号化部
１１９  表示処理部
１２１  ディスプレイ
１５１  切替部
１５３  操作部
１５５，２０１，３０１，４０１，５０１，６０１，７０１，８０１，９０１，１００１  制御部
１５７，２０９，３０７，４０９，６１１，７０９，８０７  記憶部
２０３，１００３  電池
２０５  電池残量判別部
２０７，３０５，４０７  比較部
３０３  現在時刻取得部
４０３  音量調整部
４０５  音量判別部
５０３  音声出力端子
５０５  挿抜状態判別部
６０３  マイク
６０５  音声データ生成部
６０７  周囲騒音推定部
６０９  周囲騒音比較部
７０３  番組情報記憶部
７０５  番組種別判定部
７０７  番組種別比較部
８０３, ９０３  現在位置取得部
８０５  現在位置判定部
９０５  現在位置履歴記憶部
９０７  移動判定部
１００５  電池充電中判別部
【図１】
2008141721.tif 000003
【図２】
2008141721.tif 000004
【図３】
2008141721.tif 000005
【図４】
2008141721.tif 000006
【図５】
2008141721.tif 000007
【図６】
2008141721.tif 000008
【図７】
2008141721.tif 000009
【図８】
2008141721.tif 000010
【図９】
2008141721.tif 000011
【図１０】
2008141721.tif 000012
【図１１】
2008141721.tif 000013